(57)【要約】【課題】ワイヤレスマイクをスピーカに近接させた際のハウリング発生を防止する。【解決手段】ワイヤレスマイクからの無線信号を受信する無線信号受信手段と、無線信号受信手段による受信信号を復調して音声信号を出力する受信復調増幅手段と、受信復調増幅手段の音声信号を音響出力するスピーカとを備えたワイヤレスマイク拡声装置において、無線信号受信手段をスピーカに近接して配置し、無線信号受信手段による受信強度を検出し、検出した受信強度が過大になった際、受信復調増幅手段の動作を抑圧または禁止する。【選択図】    図３
2006287752.tif 000002
【特許請求の範囲】
【請求項１】
ワイヤレスマイクからの無線信号を受信する無線信号受信手段と、無線信号受信手段による受信信号を復調して音声信号を出力する受信復調増幅手段と、受信復調増幅手段の音声信号を音響出力するスピーカとを備えたワイヤレスマイク拡声装置のハウリング防止方法であって、
無線信号受信手段をスピーカに近接して配置し、
無線信号受信手段による受信強度を検出し、
検出した受信強度が過大になった際、受信復調増幅手段の動作を抑圧または禁止する
ハウリング防止方法。
【請求項２】
無線信号受信手段と、受信復調増幅手段と、スピーカと、受信強度検出手段と、受信制御手段と、制御手段とを備えたワイヤレスマイク拡声装置であって、
無線信号受信手段は、スピーカに近接して配置され、ワイヤレスマイクからの無線信号を受信可能であり、
受信復調増幅手段は、無線信号受信手段による受信信号を復調して音声信号を出力し、
スピーカは、受信復調増幅手段の音声信号を音響出力し、
受信強度検出手段は、無線信号受信手段による受信強度を検出し、
受信制御手段は、制御手段の制御により受信復調増幅手段の動作を抑圧または禁止し、
制御手段は、受信強度検出手段が検出した受信強度が過大になった際、受信制御手段により受信復調増幅手段の動作を抑圧または禁止させる
ワイヤレスマイク拡声装置。
【請求項３】
ハウリング検出手段と、メモリと、初期化スイッチを備え、
ハウリング検出回路は、受信復調増幅手段の音声信号を分析してハウリングの発生を検出し、
メモリは、受信強度データを記憶し、
初期化スイッチは、初期化モードの指定入力が可能であり、
制御手段は、初期化モードの指定入力時には初期化モードを行い、そうでない場合は通常モードを行い、
初期化モードは、ハウリング検出手段がハウリング発生を検出した際、受信強度検出手段が検出する受信強度データをメモリに書き込み、
通常モードは、受信強度検出手段が検出する受信強度と、メモリに記憶された受信強度データとを比較し、過大か否かの判定を行う
請求項２に記載のワイヤレスマイク拡声装置。
【請求項４】
スピーカは、複数台あって離間して配設され、
無線信号受信手段は、複数台あって各スピーカにそれぞれ近接配置され、
受信復調増幅手段は、複数台の無線信号受信手段が接続されたダイバシティ受信回路を含み、
制御手段は、いずれか１つの無線信号受信手段の受信強度が過大になった際、抑圧または禁止の動作をさせる
請求項２または３に記載のワイヤレスマイク拡声装置。
【請求項５】
受信復調増幅手段は、音声信号増幅ゲインを可変設定するゲイン調整手段を含み、
制御手段は、ゲイン調整手段の設定ゲインに応じて受信強度が過大か否かの判定基準を変更する
請求項２〜４のいずれかに記載のワイヤレスマイク拡声装置。
【請求項６】
ワイヤレスマイクと、マイク整頓器と、無線信号受信手段と、受信復調増幅手段と、スピーカと、受信強度検出手段と、受信制御手段と、制御手段とを備え、カラオケ伴奏音楽と歌声とを混合増幅して音響出力するカラオケ装置であって、
ワイヤレスマイクは、歌唱者が手持ちして歌声の入力が可能であり、
マイク整頓器は、スピーカに近接して配置され、ワイヤレスマイクを整頓保持し、
無線信号受信手段は、スピーカに近接して配置され、ワイヤレスマイクからの無線信号を受信可能であり、
受信復調増幅手段は、無線信号受信手段による受信信号を復調して音声信号を出力し、
スピーカは、受信復調増幅手段の音声信号とカラオケ伴奏音楽の音声信号の混合信号を音響出力し、
受信強度検出手段は、無線信号受信手段による受信強度を検出し、
受信制御手段は、制御手段の制御により受信復調増幅手段の動作を抑圧または禁止し、
制御手段は、受信強度検出手段が検出した受信強度が過大になった際、出力制御手段により受信復調増幅手段の動作を抑圧または禁止させる
カラオケ装置。
【請求項７】
受信復調増幅手段は、音声信号増幅ゲインを可変設定するゲイン調整手段を含み、
制御手段は、ゲイン調整手段の設定ゲインに応じて受信強度が過大か否かの判定基準を変更する
請求項６に記載のカラオケ装置。
【発明の詳細な説明】
【技術分野】
【０００１】
この発明は、カラオケ装置など、ワイヤレスマイクを用いた拡声装置におけるハウリング防止技術に関し、とくに、ワイヤレスマイクとスピーカとの距離に着目した新規な技術に関する。
【背景技術】
【０００２】
拡声装置におけるハウリング防止技術は種々知られている。たとえば特開平８−１３０７９２号公報には、音の周波数特性を測定することによりハウリングを生じる周波数帯域を予測して抑止する技術が開示されている。また、特許第２７７３６５６号公報には、ハウリングを生じた周波数帯域を検出し、当該帯域のゲインのみを減衰させるノッチフィルタを用いてハウリングを防止する技術が開示されている。
【特許文献１】特開平８−１３０７９号公報
【特許文献２】特許第２７７３６５６号公報
【発明の開示】
【発明が解決しようとする課題】
【０００３】
従来のいずれのハウリング防止技術によっても、マイクロホンをスピーカに極端に近づけると、スピーカからの音響振動がマイクに大きく入力されてしまうため、ハウリングの発生を防ぐことは難しかった。
【課題を解決するための手段】
【０００４】
典型的なワイヤレスマイクは、マイクロ波帯などの電磁波あるいは赤外線を搬送波とする信号を送信する。前者のタイプでは、マイクロ波アンテナが無線信号受信手段となり、後者のタイプでは赤外線センサが無線信号受信手段となる。いずれのタイプにおいても、送信信号を発するワイヤレスマイクが無線信号受信手段（アンテナや赤外線センサであるが、代表してアンテナとする）に近づくほど、アンテナによる受信強度が大きくなる。つまり、アンテナとワイヤレスマイクの距離が小さくなるほど、アンテナによる受信強度が大きくなる。  
この出願の発明者は、上記の事実に着目し、アンテナをスピーカの側に設置しておくことで、スピーカとワイヤレスマイクの距離が小さくなるほど、アンテナによる受信強度が大きくなることに思いいたった。この着想を発展させて本発明を創作した。
【０００５】
第１の発明に係るハウリング防止方法は、つぎの事項（１）〜（４）により特定されるものである。  
（１）ワイヤレスマイクからの無線信号を受信する無線信号受信手段と、無線信号受信手段による受信信号を復調して音声信号を出力する受信復調増幅手段と、受信復調増幅手段の音声信号を音響出力するスピーカとを備えたワイヤレスマイク拡声装置のハウリング防止方法であること
（２）無線信号受信手段をスピーカに近接して配置すること
（３）無線信号受信手段による受信強度を検出すること
（４）検出した受信強度が過大になった際、受信復調増幅手段の動作を抑圧または禁止すること
【０００６】
第２の発明に係るワイヤレスマイク拡声装置は、つぎの事項（21）〜（27）により特定されるものである。  
（21）無線信号受信手段と、受信復調増幅手段と、スピーカと、受信強度検出手段と、受信制御手段と、制御手段とを備えたワイヤレスマイク拡声装置であること
（22）無線信号受信手段は、スピーカに近接して配置され、ワイヤレスマイクからの無線信号を受信可能であること
（23）受信復調増幅手段は、無線信号受信手段による受信信号を復調して音声信号を出力すること
（24）スピーカは、受信復調増幅手段の音声信号を音響出力すること
（25）受信強度検出手段は、無線信号受信手段による受信強度を検出すること
（26）受信制御手段は、制御手段の制御により受信復調増幅手段の動作を抑圧または禁止すること
（27）制御手段は、受信強度検出手段が検出した受信強度が過大になった際、受信制御手段により受信復調増幅手段の動作を抑圧または禁止させること
【０００７】
第２の発明において、つぎの事項（31）〜（37）を備えることとしてもよい。  
（31）ハウリング検出手段と、メモリと、初期化スイッチを備えること
（32）ハウリング検出回路は、受信復調増幅手段の音声信号を分析してハウリングの発生を検出すること
（33）メモリは、受信強度データを記憶すること
（34）初期化スイッチは、初期化モードの指定入力が可能であること
（35）制御手段は、初期化モードの指定入力時には初期化モードを行い、そうでない場合は通常モードを行うこと
（36）初期化モードは、ハウリング検出手段がハウリング発生を検出した際、受信強度検出手段が検出する受信強度データをメモリに書き込むこと
（37）通常モードは、受信強度検出手段が検出する受信強度と、メモリに記憶された受信強度データとを比較し、過大か否かの判定を行うこと
【０００８】
また第２の発明において、つぎの事項（41）〜（44）を備えることとしてもよい。  
（41）スピーカは、複数台あって離間して配設されること
（42）無線信号受信手段は、複数台あって各スピーカにそれぞれ近接配置されること
（43）受信復調増幅手段は、複数台の無線信号受信手段が接続されたダイバシティ受信回路を含むこと
（44）制御手段は、いずれか１つの無線信号受信手段の受信強度が過大になった際、抑圧または禁止の動作をさせること
【０００９】
また第２の発明において、つぎの事項（51）〜（52）を備えることとしてもよい。  
（51）受信復調増幅手段は、音声信号増幅ゲインを可変設定するゲイン調整手段を含むこと
（52）制御手段は、ゲイン調整手段の設定ゲインに応じて受信強度が過大か否かの判定基準を変更すること
【発明の効果】
【００１０】
ワイヤレスマイクをスピーカに大接近させると、受信強度検出手段が検出した受信強度が過大になり、受信復調増幅手段の動作が抑圧または禁止され、ハウリングの発生を効果的に防止できる。
【発明を実施するための最良の形態】
【００１１】
＝＝＝カラオケ装置の基本的な構成と機能＝＝＝
この発明を適用したワイヤレスマイク拡声装置としてのカラオケ装置の外観図を図１に示し、その電気的なシステム構成の概略を図２に示している。
【００１２】
メインコンピュータ１は、このカラオケ装置の全体を統括する。ハードディスク装置２は、メインコンピュータ１のプログラムと、カラオケデータベースと、映像データベースと、運用記録データベースと、入店者情報テーブルなどの各種情報が格納されている。操作／表示パネル部３は、利用者により各種の情報が入力可能であるとともに、利用者に向けて各種の情報を表示可能である。通信制御部７は、通信回線を介して外部のカラオケサーバーや会員情報サーバーと通信する。また無線ポート１３を介して携帯コンピュータ１４と通信可能である。携帯コンピュータ１４は、カラオケ集会に参加している利用者と対話形式でさまざまな情報交換を行えるものである。
【００１３】
演奏処理部８は、メインコンピュータ１の制御により、カラオケデータに基づいて伴奏音楽を演奏し、ミキシングアンプ９を介してスピーカ１０により放音する。ワイヤレスマイク１５からの無線信号（歌唱者の歌声）は、アンテナ（無線信号受信手段）１２を介してワイヤレスマイク受信装置１１に入力され音声信号が取り出され、ミキシングアンプ９に入力される。ワイヤレスマイク受信装置１１のアンテナ１２は、表示装置６の左右に配設された２つのスピーカ１０のそれぞれに近接して（スピーカ１０のコーン紙の前付近に）、２台設置されている。各スピーカ１０の脇には、使用していないワイヤレスマイク１５の収納ホルダー（マイク整頓器）１６が配設されている。
【００１４】
カラオケ演奏に関連した各種の映像情報が、メインコンピュータ１の制御により、ビデオメモリ４・表示処理部５・表示装置６によって利用者に提供される。たとえば、カラオケ演奏中には歌詞テロップを伴ったカラオケ映像が表示されたり、採点経過や結果も表示されたりする。演奏休止中には、演奏予約状況を示す情報、音楽関連の広告宣伝情報、今週のベストテンのようなカラオケ関連情報などが各種表示される。
【００１５】
＝＝＝ワイヤレスマイク受信装置１１＝＝＝
図３にワイヤレスマイク受信装置１１の概略構成を例示している。ワイヤレスマイク受信装置１１は、ワイヤレスマイク１５からの無線信号を受信する２個のアンテナ１２と、アンテナ１２による受信信号を復調・増幅して音声信号を出力するダイバシティ受信回路（受信復調増幅手段）１１１と、ダイバシティ受信回路１１１で復調した音声信号をミキシングアンプ９に出力する系に介在する出力スイッチ回路（受信制御手段）１１２と、アンテナ１２による受信強度を検出する信号レベル検出回路（受信強度検出手段）１１３と、これら回路システムを統括制御するマイコン（制御手段）１１４とを備えている。
【００１６】
周知のように、ダイバシティ受信回路１１１は、２つのアンテナ１０のうち、受信状態が良い方の（受信強度が大きい方の）の受信信号を選択して復調・増幅する。
【００１７】
利用者が歌唱中にワイヤレスマイク１５を手に持ったままスピーカ１０に近づいたり、ワイヤレスマイク１５のスイッチを入れたままマイク整頓器１６に戻したりして、ワイヤレスマイク１５をスピーカ１０に接近させると、アンテナ１２が受信するワイヤレスマイク１５の搬送波の強度が増大する。信号レベル検出回路１１３が検出する受信強度が、適宜なメモリに記憶されている所定の基準値（後述）以上になると、マイコン１１４は受信強度が過大と判定し、出力スイッチ回路１１２をオフに切り替え、音声出力を停止させる。この場合、ミキシングアンプ９にはワイヤレスマイク受信装置１１からの出力は供給されない。したがって、ハウリングの発生を確実に防止できる。
【００１８】
その後、受信強度が当該基準値を下回れば、再度、出力スイッチ回路１１２をオンに切り替えさせてミキシングアンプ９に出力させる。
【００１９】
なお、受信制御手段は、出力スイッチ回路１１２に限定されない。受信強度が過大と判定された場合に、ダイバシティ受信回路１１１からの音声出力を停止させずに、ハウリングが生じないように大きく減衰させて抑圧させるようにしてもよい。その抑圧の回路方式としては種々のものが考えられ、どのような回路を採用してもよい。  
また出力禁止のために、上記の実施例では出力スイッチ回路１１２を設けているが、音声信号の出力を停止させるための回路もさまざまに構成できる。
【００２０】
＝＝＝判定基準の設定方法＝＝＝
受信強度を過大と判定するための基準値の設定方法はさまざまに可能である。そして決定した基準値を適宜なメモリに記憶しておく。  
本実施例では、ワイヤレスマイク受信装置１１に初期化モードを指示するための初期化スイッチ１１５が配設されている。カラオケ装置の管理者などにより初期化モードが指定入力された場合に、マイコン１１４は、以下のような初期化モードの処理によって基準値を決定してメモリに設定する。
【００２１】
初期化モードにおいては、ハウリング検出回路１１６が逐次音声信号の周波数を分析し、ハウリング発生の有無を監視する。初期化スイッチ１１５を指定入力した管理者は、ワイヤレスマイク１５を徐々にスピーカに近づけていく。ハウリング検出回路１１６がハウリング発生を検出すると、その際に信号レベル検出回路１１３が検出した受信強度をメモリに記憶させる。所定の初期化モード終了の指定入力がされるまで、以上の動作が繰り返される。複数回ハウリングが発生した場合には、受信強度の最小値をメモリに記憶させるようにする。つまり、検出した受信強度がメモリに記憶されている値より小さい場合に、更新記憶させる。
【００２２】
なお、ハウリング発生時の受信強度よりやや小さい値をメモリに記憶すれば、より確実にハウリング発生を防止できる。  
また、初期化モード起動時には、あらかじめ規定のデフォルト値をメモリに記憶させておく。一般的な環境でハウリングを防止可能な基準値を（過小にならないように）設定しておく。前回初期化モードを起動した際に設定・更新されたメモリ値が、デフォルト値より小さい場合に限ってデフォルト値に書き替えるようにしてもよい。
【００２３】
初期化モード終了の指定入力方法としては、例えば、再度初期化スイッチ１１５を押下するようにしておけばよい。あるいは自動復帰型の初期化スイッチ１１５をワイヤレスマイク１５に配設しておき、指で押すと初期化モードの指示入力、指を離すと初期化モード終了の指示入力とみなすようにしてもよい。
【００２４】
基準値を決定する別の方式として、ワイヤレスマイク１５の音量調整（ゲイン調整手段）の設定値（音声信号増幅ゲイン）に連動して基準値が可変設定されるようにしてもよい。つまり、利用者によりワイヤレスマイク１５の音量調整が可能に構成され、そのマイク音量が大きく設定されている場合には、スピーカ１０に近づくとハウリングが生じやすいため、受信強度過大と判定すべき基準値が小さめに設定されるようにする。逆に、音量が小さく設定されている場合には、スピーカ１０に近づいてもハウリングは生じにくいため、当該基準値が反比例的に大きく設定されるようにすることが可能である。
【００２５】
なお、本発明は、従来のハウリング防止方法と重複して適用可能である。また、赤外線式のワイヤレスマイクにも電波式のワイヤレスマイクにも適用されうる。
【図面の簡単な説明】
【００２６】
【図１】本実施例に係るカラオケ装置の外観図である。
【図２】本実施例に係るカラオケ装置の機能ブロック図である。
【図３】本実施例に係るワイヤレスマイク受信装置の機能ブロック図である。
【符号の説明】
【００２７】
１  メインコンピュータ
１０  スピーカ
１１  ワイヤレスマイク受信装置
１１１  ダイバシティ受信回路
１１２  出力スイッチ回路
１１３  信号レベル検出回路
１１４  マイコン
１１５  初期化スイッチ
１１６  ハウリング検出回路
１２  アンテナ
１５  ワイヤレスマイク
１６  マイク整頓器
【図１】
2006287752.tif 000003
【図２】
2006287752.tif 000004
【図３】
2006287752.tif 000005